【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
車両（１０）の内装部分における端末設置箇所（８０）に端末装置（４０，１００）が着脱可能な状態で設置されるようになっている車両の端末設置構造であって、
前記車両において前記端末設置箇所の端末設置面（８５）の奥側に設けられ、その端末設置面を介して、前記端末設置箇所に設置された前記端末装置との間で近距離無線通信手段（３０８，３０９）による近距離無線通信または無線給電手段（３２０，３２１）による無線給電を可能とする車両側機器（３０）と、
前記端末設置箇所に設置された前記端末装置の背面と前記端末設置面とが対向する位置に設けられ、前記端末装置の背面側の熱を、前記端末装置の背面と前記端末設置面との間から他の部位へ放出する放熱手段（７１，７４）と、
を備え、
前記端末設置箇所は前記車両のインストルメントパネル（１２）であり、そのインストルメントパネルの表側の面に前記端末設置面が設けられており、
前記放熱手段として、前記端末設置箇所に設置される前記端末装置の背面の側と、前記端末設置面の側との少なくともいずれかに、前記インストルメントパネルの上下方向に延びる通気経路（７１ａ）が形成されており、
前記端末設置面には、前記端末装置の背面に近接又は接触して前記近距離無線通信を行う通信面（８５ａ）が設けられており、
前記端末設置面の側と前記端末装置の背面の側との少なくともいずれかには、前記通信面を避ける位置に前記通気経路が形成されていることを特徴とする車両の端末設置構造。
【請求項２】
前記車両側機器は、前記端末装置に対して無線給電を行う無線給電手段（６０４、６０５）を有し、
前記端末設置面には、前記端末装置の背面に近接又は接触して前記無線給電を行う給電面（８５ｂ）が設けられており、
前記端末設置面の側と前記端末装置の背面の側との少なくともいずれかには、前記給電面を避ける位置に前記通気経路が形成されている請求項１に記載の車両の端末設置構造。
【請求項３】
車両（１０）の内装部分における端末設置箇所（８０）に端末装置（４０，１００）が着脱可能な状態で設置されるようになっている車両の端末設置構造であって、
前記車両において前記端末設置箇所の端末設置面（８５）の奥側に設けられ、その端末設置面を介して、前記端末設置箇所に設置された前記端末装置との間で近距離無線通信手段（３０８，３０９）による近距離無線通信または無線給電手段（３２０，３２１）による無線給電を可能とする車両側機器（３０）と、
前記端末設置箇所に設置された前記端末装置の背面と前記端末設置面とが対向する位置に設けられ、前記端末装置の背面側の熱を、前記端末装置の背面と前記端末設置面との間から他の部位へ放出する放熱手段（７１，７４）と、
を備え、
前記端末設置箇所は前記車両のインストルメントパネル（１２）であり、そのインストルメントパネルの表側の面に前記端末設置面が設けられており、
前記放熱手段として、前記端末設置箇所に設置される前記端末装置の背面の側と、前記端末設置面の側との少なくともいずれかに、前記インストルメントパネルの上下方向に延びる通気経路（７１ａ）が形成されており、
前記車両側機器は、前記端末装置に対して無線給電を行う無線給電手段（６０４、６０５）を有し、
前記端末設置面には、前記端末装置の背面に近接又は接触して前記無線給電を行う給電面（８５ｂ）が設けられており、
前記端末設置面の側と前記端末装置の背面の側との少なくともいずれかには、前記給電面を避ける位置に前記通気経路が形成されていることを特徴とする車両の端末設置構造。
【請求項４】
前記通気経路は、前記端末装置の背面側において前記端末設置面の側と前記端末装置の背面の側との間の離間距離が下方ほど狭く、上方ほど広くなるように形成されている請求項１乃至３のいずれか１項に記載の車両の端末設置構造。
【請求項５】
車載空調装置から供給される冷却風を前記通気経路に案内する案内部材（７２）を備える請求項１乃至４のいずれか一項に記載の車両の端末設置構造。
【請求項６】
前記内装部分には、前記車載空調装置の冷却風を車室内に吹き出す吹出口（２１１）が設けられており、
前記案内部材は、前記吹出口から前記通気経路に延びるように設けられ、前記吹出口から吹き出された冷却風を前記通気経路に案内する部材である請求項５に記載の車両の端末設置構造。
【請求項７】
前記端末装置の背面の側に設けられ、前記冷却風による冷却熱を蓄える保冷部（７３）を有している請求項５又は６に記載の車両の端末設置構造。
【請求項８】
車両（１０）の内装部分における端末設置箇所（８０）に端末装置（４０，１００）が着脱可能な状態で設置されるようになっている車両の端末設置構造であって、
前記車両において前記端末設置箇所の端末設置面（８５）の奥側に設けられ、その端末設置面を介して、前記端末設置箇所に設置された前記端末装置との間で近距離無線通信手段（３０８，３０９）による近距離無線通信または無線給電手段（３２０，３２１）による無線給電を可能とする車両側機器（３０）と、
前記端末設置箇所に設置された前記端末装置の背面と前記端末設置面とが対向する位置に設けられ、前記端末装置の背面側の熱を、前記端末装置の背面と前記端末設置面との間から他の部位へ放出する放熱手段（７１，７４）と、
を備え、
前記端末設置箇所は前記車両のインストルメントパネル（１２）であり、そのインストルメントパネルの表側の面に前記端末設置面が設けられており、
前記放熱手段として、前記端末設置箇所に設置される前記端末装置の背面の側と、前記端末設置面の側との少なくともいずれかに、前記インストルメントパネルの上下方向に延びる通気経路（７１ａ）が形成されており、
車載空調装置から供給される冷却風を前記通気経路に案内する案内部材（７２）と、
前記端末装置の背面の側に設けられ、前記冷却風による冷却熱を蓄える保冷部（７３）とを有していることを特徴とする車両の端末設置構造。
【請求項９】
前記インストルメントパネルには、前記端末設置箇所として、乗員側に向けて開口する凹状をなし前記端末装置を収容する収容凹部（８０ａ）が形成されており、
前記収容凹部の内周部と前記端末装置との少なくともいずれかには、前記通気経路が形成されるとともに、前記収容凹部の下部及び上部となる位置に前記乗員側に開口させて前記通気経路の入口（７１ｂ）及び出口（７１ｃ）が形成されている請求項１乃至８のいずれか１項に記載の車両の端末設置構造。
【請求項１０】
前記端末装置は、乗員により携帯所持が可能な携帯端末（５０）と、前記携帯端末にその背面を覆うようにして装着され、かつ前記端末設置箇所に対して着脱可能に設置される端末ホルダ（６０）とを有しており、
前記端末ホルダは、前記車両側機器の前記近距離無線通信手段との近距離無線通信を可能とする通信機能を有しており、
前記端末ホルダに前記通気経路が形成されている請求項９に記載の車両の端末設置構造。
【手続補正２】
【補正対象書類名】明細書
【補正対象項目名】０００６
【補正方法】変更
【補正の内容】
【０００６】
第１の発明では、車両の内装部分における端末設置箇所に端末装置が着脱可能な状態で設置されるようになっている車両の端末設置構造であって、車両において端末設置箇所の端末設置面の奥側に設けられ、その端末設置面を介して、端末設置箇所に設置された端末装置との間で近距離無線通信手段による近距離無線通信を可能とする車両側機器と、端末設置箇所に設置された端末装置の背面と端末設置面とが対向する位置に設けられ、端末装置の背面側の熱を、端末装置の背面と端末設置面との間から他の部位へ放出する放熱手段と、を備えることを特徴とする。